(57)【要約】【課題】予約した番組の録画や視聴を行っている状態において、表示用信号の出力を継続させつつ表示部による映像の表示および非表示を任意に切り替える。【解決手段】表示用信号を出力する信号処理部２２と、表示用信号に基づく映像を表示する表示部４２と、信号処理部２２および表示部４２の作動を制御する主制御部３１と、表示部４２に対する作動開始操作および作動停止操作が可能なリモコン３を備え、主制御部３１は、表示用信号がＶＴＲ７に出力されかつ表示部４２の作動が停止されている状態で作動開始操作が行われたときに表示部４２の作動を開始させる作動開始制御、および表示用信号がＶＴＲ７に出力されかつ表示部４２が作動している状態で作動停止操作が行われたときに表示用信号の出力を継続させつつ表示部４２の作動を停止させる作動停止制御のいずれか一方を実行可能に構成されている。【選択図】        図１
2005033422.tif 000002
【特許請求の範囲】
【請求項１】
放送信号を受信して表示用信号を出力する受信部と、前記表示用信号に基づく映像を表示可能な表示部と、前記受信部および前記表示部の作動を制御可能な制御部とを備え、前記表示用信号を外部記録装置に出力可能に構成されたテレビジョン装置であって、
前記表示部の作動を開始させる作動開始操作および当該表示部の作動を停止させる作動停止操作が可能な操作部を備え、
前記制御部は、前記表示用信号が前記外部記録装置に出力されかつ前記表示部の作動が停止されている状態において前記作動開始操作が行われたときに当該表示部の作動を開始させる作動開始制御、および前記表示用信号が前記外部記録装置に出力されかつ前記表示部が作動している状態において前記作動停止操作が行われたときに当該表示用信号の出力を継続させつつ当該表示部の作動を停止させる作動停止制御のいずれか一方を実行可能に構成されているテレビジョン装置。
【請求項２】
前記受信部による前記放送信号の受信についての所定時刻での開始および所定時刻での終了を予約可能に構成され、
前記制御部は、前記予約された終了時刻において前記表示部が作動しているときに前記受信部の作動を所定時間継続させる請求項１記載のテレビジョン装置。
【請求項３】
前記外部記録装置による前記表示用信号の記録を制御するための制御信号を出力可能に構成されている請求項１または２記載のテレビジョン装置。
【発明の詳細な説明】
【０００１】
【発明の属する技術分野】
本発明は、放送信号を受信して表示用信号を出力する受信部と、表示用信号に基づく映像を表示可能な表示部と、受信部および表示部の作動を制御可能な制御部とを備え、表示用信号を外部記録装置に出力可能に構成されたテレビジョン装置に関するものである。
【０００２】
【従来の技術】
近年、ＣＳ（Ｃｏｍｍｕｎｉｃａｔｉｏｎ  Ｓａｔｅｌｌｉｔｅ  ）を利用して多チャンネルのデジタル放送を行うＣＳ放送が開始され、ＣＳ放送信号を受信可能なＣＳチューナを備えたテレビジョン装置が登場している。また、この種のテレビジョン装置の中には、受信したＣＳ放送信号に基づく表示用信号をＶＴＲ（Ｖｉｄｅｏｔａｐｅ  Ｒｅｃｏｒｄｅｒ）やハードディスクレコーダ等の外部記録装置に出力すると共に、その外部記録装置による表示用信号の記録（番組の録画）を制御する機能を備えたものもある。この種のテレビジョン装置と、外部記録装置とを用いてＣＳ放送の番組を録画する際には、予め番組を選択して録画を予約する。一方、予約した番組の放送開始時刻が到来した際には、テレビジョン装置のＣＳチューナがＣＳ放送信号を受信して表示用信号を出力し、例えば信号出力部が制御信号および表示用信号を外部記録装置に出力する。これにより、テレビジョン装置の制御下で、予約した番組が外部記録装置によって録画される。しかしながら、この種のテレビジョン装置では、例えばユーザーの留守中に表示用信号を予約録画する際には、ユーザーが不在であるにも拘わらず、ディスプレイによって映像が表示される。したがって、この種のテレビジョン装置には、映像表示が不要な状態であるにも拘わらず、ディスプレイに電源が供給されるため、電力が無駄に消費されるという問題点がある。
【０００３】
この問題点を解決する手段として、特開平１０−３３６５４８号公報には、録画予約したデジタル放送を受信する際に、ディスプレイ部および音声処理部に供給する電源を遮断するテレビジョン受像機が開示されている。このテレビジョン受像機は、ＣＳ受信部（５）、ディスプレイ部（１１）、音声処理部（１６）、マイコン（１７）、リモコン送信器（１８）、メイン電源回路（２０）、第１セレクタ（２８）、第２セレクタ（２３）、メイン電源スイッチ（ＳＷ１）およびスイッチ（ＳＷ２，ＳＷ３，ＳＷ４）等を備えて構成されている。
【０００４】
このテレビジョン受像機と、外部記録装置としてのＶＴＲ（５１）とを使用して、ＣＳ放送の番組を録画する際には、リモコン送信器（１８）を用いて番組を選択して録画予約をする。一方、予約した番組の放送開始時刻が到来した際には、マイコン（１７）がメイン電源スイッチ（ＳＷ１）およびスイッチ（ＳＷ２）をオン状態に制御することにより、メイン電源回路（２０）によって出力された電源がＣＳ受信部（５）に供給される。また、マイコン（１７）がスイッチ（ＳＷ３，ＳＷ４）をオフ状態に制御することにより、ディスプレイ部（１１）および音声処理部（１６）への電源供給が停止（遮断）される。この際に、第１セレクタ（２８）がＣＳ受信部（５）によって受信された映像信号を映像出力端子（１２）に出力し、第２セレクタ（２３）がＣＳ受信部（５）によって受信された音声信号を音声出力端子（１３）に出力する。一方、ＶＴＲ（５１）は、映像信号および音声信号を入力して録画する。これにより、予約したＣＳ放送の番組がＶＴＲ（５１）によって録画される。この場合、録画中においてディスプレイ部（１１）や音声処理部（１６）への電源が停止されるため、例えば録画中にユーザーが外出して不在であるにも拘わらず不要な映像表示や音声出力が行われる事態が回避される結果、電力の無駄な消費が防止される。
【０００５】
また、このテレビジョン受像機およびＶＴＲ（５１）を使用して、ＣＳ放送の番組を視聴しつつ録画する際には、リモコン送信器（１８）を用いて番組を選択して視聴・録画を予約する。一方、予約した番組の放送開始時刻が到来した際には、マイコン（１７）がメイン電源スイッチ（ＳＷ１）およびスイッチ（ＳＷ２，ＳＷ３，ＳＷ４）をオン状態に制御することにより、ＣＳ受信部（５）、ディスプレイ部（１１）および音声処理部（１６）にメイン電源回路（２０）によって出力された電源が供給される。この際に、第１セレクタ（２８）が映像信号をディスプレイ部（１１）および映像出力端子（１２）に出力し、第２セレクタ（２３）が音声信号を音声処理部（１６）および音声出力端子（１３）に出力する。次いで、ＶＴＲ（５１）が、映像信号および音声信号を入力して録画する。これにより、予約した番組の映像がディスプレイ部（１１）に表示されると共にＶＴＲ（５１）によってその番組が録画される。
【０００６】
【特許文献１】
特開平１０−３３６５４８号公報（第３−５頁）
【０００７】
【発明が解決しようとする課題】
ところが、この従来のテレビジョン受像機には、以下の問題点がある。すなわち、このテレビジョン受像機では、録画の予約が実行された際に、マイコン（１７）がスイッチ（ＳＷ３，ＳＷ４）をオフ状態に制御することにより、ディスプレイ部（１１）および音声処理部（１６）への電源供給が停止される。つまり、このテレビジョン受像機では、予約録画中においては、映像の表示や音声の出力が行われない。したがって、この予約録画中において映像表示や音声出力が行われないことに起因して、このテレビジョン受像機には、例えば予約録画の開始前に外出したユーザーが予約録画中に帰宅したときに、録画を強制的に終了（予約を解除）しない限り番組を視聴することができないという問題点がある。一方、視聴・録画の予約が実行されているときには、マイコン（１７）がスイッチ（ＳＷ３，ＳＷ４）をオン状態に制御することにより、ディスプレイ部（１１）および音声処理部（１６）に電源が継続的に供給される。したがって、視聴・録画の予約を実行している最中に例えば外出する用事が発生したとしても、実行中の視聴・録画の予約を強制的に解除しない限り、映像の表示を停止することができないという問題点もある。
【０００８】
本発明は、かかる問題点に鑑みてなされたものであり、予約した番組の録画や視聴を行っている状態において、表示用信号の出力を継続させつつ表示部による映像の表示および非表示を任意に切り替え得るテレビジョン装置を提供することを主目的とする。
【０００９】
【課題を解決するための手段】
上記目的を達成すべく本発明に係るテレビジョン装置は、放送信号を受信して表示用信号を出力する受信部と、前記表示用信号に基づく映像を表示可能な表示部と、前記受信部および前記表示部の作動を制御可能な制御部とを備え、前記表示用信号を外部記録装置に出力可能に構成されたテレビジョン装置であって、前記表示部の作動を開始させる作動開始操作および当該表示部の作動を停止させる作動停止操作が可能な操作部を備え、前記制御部は、前記表示用信号が前記外部記録装置に出力されかつ前記表示部の作動が停止されている状態において前記作動開始操作が行われたときに当該表示部の作動を開始させる作動開始制御、および前記表示用信号が前記外部記録装置に出力されかつ前記表示部が作動している状態において前記作動停止操作が行われたときに当該表示用信号の出力を継続させつつ当該表示部の作動を停止させる作動停止制御のいずれか一方を実行可能に構成されている。
【００１０】
このテレビジョン装置では、制御部が、外部記録装置に表示用信号が出力されかつ表示部の作動が停止されている状態において作動開始操作が行われたときに表示部の作動を開始させる作動開始制御、および外部記録装置に表示用信号が出力されかつ表示部が作動している状態において作動停止操作が行われたときに表示用信号の出力を継続させつつ表示部の作動を停止させる作動停止制御のいずれか一方を実行する。このため、例えば予約した番組の予約録画を行っているときに、表示部の作動が停止させられて映像の表示が停止している状態であっても、作動開始操作を行うことで映像を表示させることが可能となる。また、例えば予約した番組の視聴および録画を同時に行っているときに、表示部が作動させられて映像が表示されている状態であっても、作動停止操作を行うことで表示用信号の出力を継続させつつ映像の表示を停止させることが可能となる。したがって、予約した番組の録画や視聴を行っている状態において、表示用信号の出力を継続させつつ映像の表示および非表示を任意に切り替えることが可能となる。
【００１１】
また、本発明に係るテレビジョン装置は、上記のテレビジョン装置において、前記受信部による前記放送信号の受信についての所定時刻での開始および所定時刻での終了を予約可能に構成され、前記制御部は、前記予約された終了時刻において前記表示部が作動しているときに前記受信部の作動を所定時間継続させる。
【００１２】
このテレビジョン装置では、予約された終了時刻において表示部が作動しているときに、制御部が、受信部の作動を所定時間継続させる。このため、例えば予約した番組の放送時間が延長されたとしても、その番組の視聴を継続させることが可能となる。
【００１３】
さらに、本発明に係るテレビジョン装置は、上記のテレビジョン装置において、前記外部記録装置による前記表示用信号の記録を制御するための制御信号を出力可能に構成されている。
【００１４】
このテレビジョン装置では、外部記録装置による表示用信号の記録を制御するための制御信号を出力可能に構成されている。このため、外部記録装置に対して録画予約操作を行うことなくテレビジョン装置側の録画予約操作だけで録画を確実に実行させることができる。
【００１５】
【発明の実施の形態】
以下、本発明に係るテレビジョン装置の好適な実施の形態について、添付図面を参照して説明する。図１に示すテレビジョン装置１は、一例として、スクリーンパネル５２の背面から投射光Ｌを投射することによってＣＳ放送のテレビ映像Ｐｔ（図２参照）を表示可能に構成されている。また、テレビジョン装置１は、受信した放送信号Ｓｂに基づく映像信号Ｓｅおよび音声信号Ｓｓを外部記録装置としてのＶＴＲ７に出力すると共に、ＶＴＲ７による映像の録画を制御可能に構成されている。具体的には、テレビジョン装置１は、信号入出力部２、制御ユニット３、映像・音声出力部４および電源部５を有する本体部１Ａ（図２参照）と、リモコン６とを備えている。
【００１６】
信号入出力部２は、チューナ２１、信号処理部２２および信号出力部２３を備えている。チューナ２１は、信号処理部２２と共に本発明における受信部を構成し、図外のアンテナで受信したＣＳ放送の放送波から後述する各種の形態で予約された番組に対応するチャンネルの放送信号Ｓｂを抽出して出力する。また、チューナ２１は、リモコン６の予約ボタン８１ｂ（図２参照）が操作された際には、ＥＰＧ（Ｅｌｅｃｔｒｉｃ  Ｐｒｏｇｒａｍ  Ｇｕｉｄｅ：電子番組表）用の放送信号Ｓｂを抽出して出力する。信号処理部２２は、例えばデスクランブラ、デマルチブレクサおよびデコーダ（いずれも図示せず）を備えて構成され、チューナ２１から出力された放送信号Ｓｂを信号処理してディジタル映像信号Ｄｐおよびディジタル音声信号Ｄｓを出力する。信号出力部２３は、制御ユニット３における主制御部３１の制御下でディジタル映像信号ＤｐをＲＧＢ形式の映像信号Ｓｅ（ディジタル信号Ｄｐと共に本発明における表示用信号に相当する）に変換して出力すると共に、ディジタル音声信号Ｄｓをアナログの音声信号Ｓｓに変換して出力する。
【００１７】
制御ユニット３は、主制御部３１、メモリ（記憶部）３２、タイマ３３および入力処理部３４を備えている。主制御部３１は、制御信号Ｓｃ２を出力することによって信号入出力部２および映像・音声出力部４を統括的に制御する。また、主制御部３１は、制御信号Ｓｃ１を出力して第１スイッチ６２をオン状態に制御することにより、電源回路６１から信号入出力部２に電源を供給させる。さらに、主制御部３１は、制御信号Ｓｃ１を出力して第２スイッチ６３をオン状態に制御することにより、電源回路６１から映像・音声出力部４に電源を供給させる。メモリ３２は、後述する視聴予約、録画予約および視聴・録画予約などの予約形態の区別や、予約された番組が放送されるチャンネル、放送開始時刻および放送終了時刻などを特定可能な予約データを一時的に記憶する。タイマ３３は、メモリ３２に記憶されている予約データによって特定される予約番組の開始時刻および終了時刻と、現在時刻とを比較して、開始時刻や終了時刻が到来したときにその旨を報知する報知信号を主制御部３１に出力する。入力処理部３４は、リモコン６から出力された赤外線信号Ｓｉを受光した後に光電変換して操作信号Ｓｏを出力する。
【００１８】
映像・音声出力部４は、図１に示すように、表示制御部４１、表示部４２、音声制御部４３および音声出力部４４を備えて構成されている。表示制御部４１は、信号処理部２２から出力されたディジタル映像信号Ｄｐを入力して、例えば、図２に示すテレビ映像Ｐｔ（この場合、家、木および雲の映像）を表示させるためのＲＧＢ形式の映像信号Ｓｅを生成して表示部４２に出力する。表示部４２は、図１に示すように、プロジェクタユニット５１およびスクリーンパネル５２を備えている。プロジェクタユニット５１は、本体部１Ａ（図２参照）の内部における底面側に配設されて、表示制御部４１によって出力された映像信号Ｓｅに基づいて変調した投射光Ｌをスクリーンパネル５２の背面側に向けて投射する。具体的には、プロジェクタユニット５１は、例えば、光源ランプと、光源ランプによって射出された白色光を映像表示可能な投射光Ｌに変調するための変調手段（一例として、液晶パネル、入射側偏光板および射出側偏光板を備えた液晶ライトバルブ）と、投射光Ｌを拡大して投射する投射レンズ（いずれも図示せず）とを備えて構成されている。なお、このテレビジョン装置１では、実際には、プロジェクタユニット５１によって投射された投射光Ｌが反射ミラーによって反射されてスクリーンパネル５２に投射されているが、本発明についての理解を容易とするために、その図示および説明を省略する。スクリーンパネル５２は、プロジェクタユニット５１によって投射された投射光Ｌを受光して拡散または平行光に変換することにより、各種映像を表示する。
【００１９】
音声制御部４３は、信号処理部２２から出力されたディジタル音声信号Ｄｓを入力して、アナログの音声信号Ｓｓに変換して音声出力部４４に出力する。音声出力部４４は、例えばアンプおよびスピーカ（いずれも図示せず）を備えて構成されて、音声制御部４３から出力された音声信号Ｓｓに基づく音声を出力する。
【００２０】
電源部５は、電源回路６１、第１スイッチ６２および第２スイッチ６３を備えて構成されている。電源回路６１は、第１スイッチ６２を介して信号入出力部２に対して作動可能に電源を供給すると共に、第２スイッチ６３を介して映像・音声出力部４に対して作動可能に電源を供給する。また、電源回路６１は、図外のメイン電源スイッチが投入されている状態では、制御ユニット３に電源を常時供給する。第１スイッチ６２は、主制御部３１から制御信号Ｓｃ１が出力されているときには、オン状態に制御されて電源を信号入出力部２に供給し、制御信号Ｓｃ１の出力が停止されているときには、その供給を停止する。第２スイッチ６３は、主制御部３１から制御信号Ｓｃ１が出力されているときには、オン状態に制御されて電源を映像・音声出力部４に供給し、制御信号Ｓｃ１の出力が停止されているときには、その供給を停止する。
【００２１】
リモコン６は、本発明における操作部に相当し、図２に示すように、本体部１Ａとは別体に形成されている。また、リモコン６は、電源ボタン８１ａ、予約ボタン８１ｂ、選局ボタン８１ｃ，８１ｃ・・、映像表示ボタン８１ｄ、表示停止ボタン８１ｅ、カーソルボタン８１ｆ，８１ｆ・・および決定ボタン８１ｇなどの各種操作ボタンが配列されて構成され、これらの操作ボタンが操作されたときに、各操作ボタンに対応する赤外線信号Ｓｉを出力する。この場合、映像表示ボタン８１ｄを用いた操作が本発明における作動開始操作に相当し、表示停止ボタン８１ｅを用いた操作が本発明における作動停止操作に相当する。
【００２２】
次に、テレビジョン装置１の全体的な動作について、図面を参照して説明する。なお、本実施例におけるＣＳ放送では、番組を視聴または録画する際にその番組を予約するシステムが採用されているものとする。
【００２３】
このテレビジョン装置１では、ＣＳ放送の番組を視聴または録画する際に、その番組を予約する。具体的には、まず、リモコン６の電源ボタン８１ａを操作する。この際に、リモコン６が電源ボタン８１ａに対応する赤外線信号Ｓｉを出力し、入力処理部３４が赤外線信号Ｓｉを受光して操作信号Ｓｏを出力する。次に、図１に示すように、主制御部３１が、操作信号Ｓｏに従って第１スイッチ６２および第２スイッチ６３に制御信号Ｓｃ１をそれぞれ出力する。これに応じて、第１スイッチ６２が信号入出力部２に電源を供給し、第２スイッチ６３が映像・音声出力部４に電源を供給する。これにより、信号入出力部２および映像・音声出力部４が作動を開始する。この際に、映像・音声出力部４のプロジェクタユニット５１に電源が供給されて、光源ランプが白色光を射出する。
【００２４】
次に、リモコン６の予約ボタン８１ｂを操作する。この際に、主制御部３１は、予約ボタン８１ｂの操作に応じて出力される操作信号Ｓｏに従い、ＥＰＧ用の放送信号Ｓｂ（この場合、ＥＰＧ用の放送信号Ｓｂには、音声信号が含まれていないものとする）を抽出させる制御信号Ｓｃ２をチューナ２１に出力する。これに応じて、チューナ２１は、図外のアンテナで受信したＣＳ放送の放送波からＥＰＧ用の放送信号Ｓｂを抽出して出力する。次いで、信号処理部２２が、チューナ２１から出力された放送信号Ｓｂを信号処理してディジタル映像信号Ｄｐを生成して出力する。
【００２５】
続いて、主制御部３１は、映像・音声出力部４の表示制御部４１にディジタル映像信号Ｄｐを転送すると共に、ＥＰＧの表示を指示する制御信号Ｓｃ２を表示制御部４１に出力する。次に、表示制御部４１は、制御信号Ｓｃ２に従い、主制御部３１によって転送されたディジタル映像信号Ｄｐに基づいてＲＧＢ形式の映像信号Ｓｅを生成してプロジェクタユニット５１に出力する。これに応じて、プロジェクタユニット５１の変調手段が光源ランプから射出された白色光を映像信号Ｓｅに基づく映像表示用の投射光Ｌに変調し、投射レンズが投射光Ｌを拡大してスクリーンパネル５２に投射する。これにより、図３に示すように、ＥＰＧ画面Ｐｅがスクリーンパネル５２に表示される。
【００２６】
次いで、リモコン６のカーソルボタン８１ｆを操作して、図３に示すＥＰＧ画面Ｐｅ内に表示された各番組の中から所望の番組（例えば同図に示す「映画」）を選択して、その番組の表示位置にカーソル（例えば同図に示す画面内の文字を反転表示する画像）を移動させた後に、決定ボタン８１ｇを操作する。次いで、主制御部３１は、視聴予約（番組を視聴する予約形態）、録画予約（番組を視聴せずに録画する予約形態）および視聴・録画予約（番組を視聴すると共に録画する予約形態）のうちのどの形態で番組を予約するかを選択するための選択画面Ｐｃ（図４参照）の表示を指示する制御信号Ｓｃ２を表示制御部４１に出力する。次に、表示制御部４１が制御信号Ｓｃ２に従って選択画面Ｐｃを表示させるための映像信号Ｓｅを生成して出力することにより、図４に示すように、選択画面Ｐｃがスクリーンパネル５２に表示される。次いで、例えば録画予約を選択する際には、カーソルボタン８１ｆを操作して選択画面Ｐｃ内の「録画予約」の文字が表示された表示位置にカーソルを移動させた後に、決定ボタン８１ｇを操作する。この際に、主制御部３１は、選択された番組のチャンネル、放送開始時刻、放送終了時刻および予約形態（視聴予約、録画予約および視聴・録画予約の区別）等を特定可能な予約データを生成してメモリ３２に記憶させると共に、表示制御部４１に制御信号Ｓｃ２を出力することによってＥＰＧ画面Ｐｅを表示させる。
【００２７】
続いて、上記した映画とは別の番組（例えば図３に示すＥＰＧ画面Ｐｅ内に表示された「ワイドショー」）を予約する際には、上記の操作と同様にしてカーソルボタン８１ｆおよび決定ボタン８１ｇを操作する。この際に、主制御部３１は、制御信号Ｓｃ２を出力することによって選択画面Ｐｃを表示させる。次に、新たに選択したワイドショーを視聴・録画予約する際には、カーソルボタン８１ｆを操作して選択画面Ｐｃ内の「視聴・録画予約」の文字が表示された表示位置にカーソルを移動させた後に、決定ボタン８１ｇを操作する。この際に、主制御部３１は、新たに選択されたワイドショーについての予約データを生成してメモリ３２に記憶させると共に、制御信号Ｓｃ２を出力することによってＥＰＧ画面Ｐｅを表示させる。次いで、予約を終了する際には、予約ボタン８１ｂを再度操作する。これに応じて、主制御部３１は、ＥＰＧ画面Ｐｅの表示終了を指示する制御信号Ｓｃ２を出力した後に、第１スイッチ６２および第２スイッチ６３に対する制御信号Ｓｃ１の出力を停止する。これにより、表示部４２によるＥＰＧ画面Ｐｅの表示が停止された後に、第１スイッチ６２による電源回路６１からの電源の信号入出力部２への供給、および第２スイッチ６３による電源回路６１からの電源の映像・音声出力部４への供給が停止されて、信号入出力部２および映像・音声出力部４の作動が停止させられる。これにより、番組の予約が完了する。この際に、制御ユニット３のタイマ３３が、メモリ３２に記憶されている予約データを読み出して、予約番組の開始時刻が到来したか否かの判別を開始する。
【００２８】
一方、予約した番組（この場合、映画）の放送開始時刻（この場合、１０時３０分）が到来した際には、タイマ３３、がその旨を示すタイマ信号を主制御部３１に出力する。これに応じて、主制御部３１は、メモリ３２に記憶されている予約データを読み出して、開始時刻の到来した映画のチャンネルおよび予約形態を特定する。この場合、上記したように、映画が録画予約の形態で予約されているため、主制御部３１は、第１スイッチ６２のみに制御信号Ｓｃ１を出力する。これに応じて、第１スイッチ６２が電源回路６１からの電源を信号入出力部２に供給することにより、信号入出力部２が作動を開始する。次いで、主制御部３１は、映画が放送されるチャンネルの放送信号ＳｂをＣＳ放送波から抽出させる制御信号Ｓｃ２をチューナ２１に出力すると共に放送信号Ｓｂを信号処理させる制御信号Ｓｃ２を信号処理部２２に出力する。これに応じて、チューナ２１が制御信号Ｓｃ２で指定されたチャンネルの放送信号Ｓｂを抽出して信号処理部２２に出力し、信号処理部２２が放送信号Ｓｂを信号処理してディジタル映像信号Ｄｐおよびディジタル音声信号Ｄｓを出力する。
【００２９】
続いて、主制御部３１は、ディジタル映像信号Ｄｐおよびディジタル音声信号Ｄｓを信号出力部２３に転送すると共に、ディジタル映像信号Ｄｐおよびディジタル音声信号Ｄｓを信号変換させる制御信号Ｓｃ２を信号出力部２３に出力する。また、主制御部３１は、ＶＴＲ７に記録（録画）を開始させる制御信号Ｓｃ３を出力する。次に、信号出力部２３は、図１に示すように、ディジタル映像信号Ｄｐを映像信号Ｓｅに変換して出力端子２４に出力すると共にディジタル音声信号Ｄｓを音声信号Ｓｓに変換して出力端子２５に出力する。また、信号出力部２３は、主制御部３１によって出力された制御信号Ｓｃ３を出力端子２６に出力する。一方、ＶＴＲ７は、制御信号Ｓｃ３を入力し、その制御信号Ｓｃ３に従って録画を開始する。これにより、例えば映画の開始時刻においてユーザーが外出していたとしても、テレビジョン装置１（主制御部３１）の制御下で、ＶＴＲ７による映画の録画が開始される。この場合、主制御部３１が信号入出力部２にのみ電源を供給させて映像・音声出力部４に対する電源の供給を停止させているため、電力の無駄な消費が防止される。
【００３０】
一方、例えば外出していたユーザーが映画の終了時刻（この場合、１２時３０分）に至る以前に帰宅して、録画中（放送中）の映画を視聴する際には、映像表示ボタン８１ｄを操作する（この場合、この操作が、本発明における作動開始操作に相当する）。この際に、主制御部３１は、映像表示ボタン８１ｄの操作に応じて第２スイッチ６３に制御信号Ｓｃ１を出力してオン状態に制御する。この結果、第２スイッチ６３を介して、電源が電源回路６１から映像・音声出力部４に供給される。次いで、主制御部３１は、テレビ映像Ｐｔの表示を指示する制御信号Ｓｃ２を表示制御部４１に出力すると共に信号出力部２３に転送しているディジタル映像信号Ｄｐを表示制御部４１にも転送する。また、主制御部３１は、音声の出力を指示する制御信号Ｓｃ２を音声制御部４３に出力すると共に信号出力部２３に転送しているディジタル音声信号Ｄｓを音声制御部４３にも転送する。続いて、表示制御部４１が制御信号Ｓｃ２に従ってディジタル映像信号Ｄｐに基づく映像信号Ｓｅを生成してプロジェクタユニット５１に出力し、音声制御部４３が制御信号Ｓｃ２に従ってディジタル音声信号Ｄｓに基づく音声信号Ｓｓを生成して音声出力部４４に出力する。これにより、スクリーンパネル５２にテレビ映像Ｐｔが表示されると共に音声出力部４４から音声が出力される。
【００３１】
続いて、例えば、映画の終了時刻に達する以前において録画を継続させつつ映画の視聴を止める際には、リモコン６の表示停止ボタン８１ｅを操作する（この場合、この操作が、本発明における作動停止操作に相当する）。この際に、主制御部３１は、表示停止ボタン８１ｅの操作に応じて制御信号Ｓｃ１の出力を停止して第２スイッチ６３をオフ状態に制御する。また、主制御部３１は、テレビ映像Ｐｔの表示停止を指示する制御信号Ｓｃ２を表示制御部４１に出力すると共に表示制御部４１へのディジタル映像信号Ｄｐの転送を停止する。さらに、主制御部３１は、音声の出力停止を指示する制御信号Ｓｃ２を音声制御部４３に出力すると共に音声制御部４３へのディジタル音声信号Ｄｓの転送を停止する。これにより、ＶＴＲ７による録画が継続されている状態において、第２スイッチ６３を介しての電源回路６１から映像・音声出力部４への電源供給が停止されて映像・音声出力部４の作動が停止させられて、テレビ映像Ｐｔの表示および音声の出力が停止される。
【００３２】
この後、映画の終了時刻が到来したときに、タイマ３３は、その旨を示すタイマ信号を主制御部３１に出力する。これに応じて、主制御部３１は、放送信号Ｓｂの抽出を停止させる制御信号Ｓｃ２をチューナ２１に出力すると共に、信号処理を停止させる制御信号Ｓｃ２を信号処理部２２および信号出力部２３に出力する。また、主制御部３１は、録画の停止を指示する制御信号Ｓｃ３を信号出力部２３を介してＶＴＲ７に出力する。これにより、チューナ２１による放送信号Ｓｂの抽出が停止され、かつ信号処理部２２および信号出力部２３による信号処理が停止される。また、ＶＴＲ７による映画の録画も停止される。次いで、主制御部３１は、第１スイッチ６２に対する制御信号Ｓｃ１の出力を停止する。これにより、第１スイッチ６２を介しての電源回路６１から信号入出力部２への電源供給が停止される。
【００３３】
一方、ワイドショーの放送開始時刻（この場合、１３時）が到来した際には、タイマ３３は、その旨を示すタイマ信号を主制御部３１に出力する。これに応じて、主制御部３１は、メモリ３２に記憶されている予約データを読み出して、ワイドショーが放送されるチャンネルおよび予約形態等を特定する。この場合、上記したように、ワイドショーが視聴・録画予約の形態で予約されているため、主制御部３１は、第１スイッチ６２および第２スイッチ６３に制御信号Ｓｃ１を出力してオン状態に制御する。これにより、第１スイッチ６２を介して電源回路６１からの電源が信号入出力部２および映像・音声出力部４に供給される。次いで、主制御部３１は、放送信号Ｓｂを抽出させる制御信号Ｓｃ２をチューナ２１に出力すると共に放送信号Ｓｂを信号処理させる制御信号Ｓｃ２を信号処理部２２に出力する。続いて、信号処理部２２は、チューナ２１によって抽出された放送信号Ｓｂを信号処理してディジタル映像信号Ｄｐおよびディジタル音声信号Ｄｓを出力する。
【００３４】
次に、主制御部３１は、ディジタル映像信号Ｄｐおよびディジタル音声信号Ｄｓを信号出力部２３に転送すると共に、ディジタル映像信号Ｄｐおよびディジタル音声信号Ｄｓを信号変換させる制御信号Ｓｃ２を信号出力部２３に出力する。また、主制御部３１は、ＶＴＲ７に録画を開始させる制御信号Ｓｃ３を出力する。また、主制御部３１は、テレビ映像Ｐｔの表示を指示する制御信号Ｓｃ２とディジタル映像信号Ｄｐとを表示制御部４１に出力する。さらに、主制御部３１は、音声の出力を指示する制御信号Ｓｃ２を音声制御部４３に出力すると共にディジタル音声信号Ｄｓを音声制御部４３に転送する。これにより、ＶＴＲ７によってワイドショーの録画が開始される。また、スクリーンパネル５２によってワイドショーのテレビ映像Ｐｔが表示されると共に、音声出力部４４によってその音声が出力される。
【００３５】
一方、例えば外出のために、ワイドショーの終了時刻（この場合、１４時）に至る以前において録画を継続させつつワイドショーの視聴を止める際には、リモコン６の表示停止ボタン８１ｅを操作する。これに応じて、主制御部３１は、制御信号Ｓｃ１の出力を停止して第２スイッチ６３をオフ状態に制御する（作動停止制御を実行する）。また、主制御部３１は、上記した動作と同様にして、テレビ映像Ｐｔの表示停止を指示する制御信号Ｓｃ２を表示制御部４１に出力すると共に表示制御部４１に対するディジタル映像信号Ｄｐの転送を停止する。さらに、主制御部３１は、音声の出力停止を指示する制御信号Ｓｃ２を音声制御部４３に出力すると共に音声制御部４３に対するディジタル音声信号Ｄｓの転送を停止する。これにより、ＶＴＲ７によるワイドショーの録画が継続している状態において、テレビ映像Ｐｔの表示および音声の出力が停止されると共に映像・音声出力部４への電源供給が停止される。
【００３６】
この後、ユーザーがワイドショーの終了時刻に至る以前に外出から戻って映像表示ボタン８１ｄを操作した際には、主制御部３１は、第２スイッチ６３に制御信号Ｓｃ１を出力してオン状態に制御することによって映像・音声出力部４に電源を供給させると共に、制御信号Ｓｃ２の出力と、ディジタル映像信号Ｄｐおよびディジタル音声信号Ｄｓの転送とを実行する。これにより、ワイドショーのテレビ映像Ｐｔが表示されると共に、その音声が出力される。この後、ワイドショーの終了時刻が到来したときには、タイマ３３がその旨を示すタイマ信号を主制御部３１に出力する。これに応じて、主制御部３１は、録画の停止を指示する制御信号Ｓｃ３を信号出力部２３を介してＶＴＲ７に出力する。これにより、ＶＴＲ７によるワイドショーの録画が終了する。
【００３７】
次に、主制御部３１が、放送信号Ｓｂの抽出停止を指示する制御信号Ｓｃ２、および信号処理の停止を指示する制御信号Ｓｃ２をチューナ２１および信号処理部２２にそれぞれ出力する。これにより、ディジタル映像信号Ｄｐおよびディジタル音声信号Ｄｓの出力が停止される。次いで、主制御部３１は、表示制御部４１に対して、予約したワイドショーの終了を知らせるメッセージ画像（例えば「予約番組が終了しました」の文字を含むメッセージ画像）の表示を指示する制御信号Ｓｃ２を表示制御部４１に出力する。これに応じて、表示制御部４１がメッセージ画像用の映像信号Ｓｅを生成して出力することにより、メッセージ画像がスクリーンパネル５２に表示される。この場合、タイマ３３によるタイマ信号の出力時点において映像・音声出力部４が作動している状態のとき（ユーザーがワイドショーの終了時点で視聴しているとき）には、ユーザーが、マニュアル操作で選局した番組を引き続き視聴したり、新たに番組を予約したりする可能性がある。このため、主制御部３１は、タイマ信号の出力時点から所定時間（例えば３分間）が経過するまで待機して、その間にリモコン６におけるいずれの操作ボタンも操作されなかったときに、第１スイッチ６２および第２スイッチ６３に対する制御信号Ｓｃ１の出力を停止する。一方、タイマ信号の出力時点から所定時間以内にいずれかの操作ボタンが操作されたときには、主制御部３１は、その操作信号Ｓｏに応じた制御信号Ｓｃ２を出力する。
【００３８】
このように、このテレビジョン装置１によれば、主制御部３１が、ＶＴＲ７に映像信号Ｓｅが出力されかつ表示部１１の作動が停止されている状態において映像表示ボタン８１ｄが操作されたときに映像・音声出力部４の作動を開始させ、ＶＴＲ７に映像信号Ｓｅが出力されかつ表示部１１の作動している状態において表示停止ボタン８１ｅが操作されたときに映像信号Ｓｅの出力を継続させつつ映像・音声出力部４の作動を停止させることにより、例えば予約した番組の録画を行っているときに、映像・音声出力部４の作動が停止させられてテレビ映像Ｐｔの表示が停止している状態であっても、映像表示ボタン８１ｄを操作することでテレビ映像Ｐｔを表示させることができる。また、例えば予約した番組の視聴および録画を同時に行っているときに、映像・音声出力部４が作動させられてテレビ映像Ｐｔが表示されている状態であっても、表示停止ボタン８１ｅを操作することで録画を継続させつつテレビ映像Ｐｔの表示を停止させることができる。したがって、予約した番組の録画や視聴を行っている状態において、録画を継続させつつテレビ映像Ｐｔの表示および非表示を任意に切り替えることができる。
【００３９】
また、予約された番組の終了時刻において映像・音声出力部４が作動しているときに主制御部３１が信号入出力部２の作動を所定時間継続させることにより、例えば予約した番組の放送時間が延長されたとしても、リモコン３を用いたマニュアル操作等によってその番組の視聴を継続させることができる。
【００４０】
また、主制御部３１がＶＴＲ７による番組の録画（映像信号Ｓｅおよび音声信号Ｓｓの記録）を制御することにより、ＶＴＲ７に対して録画予約操作を行うことなくテレビジョン装置１側の録画予約操作だけで録画を確実に実行させることができる。
【００４１】
なお、本発明は、上記した本発明の実施の形態に限定されない。例えば、本発明の実施の形態では、プロジェクタユニット５１およびスクリーンパネル５２を備えて表示部４２を構成した例について説明したが、表示部としてＣＲＴや液晶表示パネルを採用することもできる。また、本発明の実施の形態では、ＣＳ放送用のチューナ２１を備えたテレビジョン装置１を例に挙げて説明したが、ＢＳ（Ｂｒｏａｄｃａｓｔｉｎｇ  Ｓａｔｅｌｌｉｔｅ）放送用のチューナや地上波用のチューナを備えたテレビジョン装置、およびこれらの複数の種類のチューナを備えたテレビジョン装置に本発明を適用することもできる。
【００４２】
また、本発明の実施の形態では、アナログ信号としての映像信号Ｓｅおよび音声信号ＳｓをＶＴＲ７に記録（録画）させる例について説明したが、ディジタルデータを記録可能な例えばハードディスクレコーダやＤＶＤレコーダ等の外部記録装置に表示用信号（表示用データ）を記録させることもできる。この場合、信号処理部２２から出力されたディジタル映像信号Ｄｐやディジタル音声信号Ｄｓをアナログ信号に変換することなく両信号Ｄｐ，Ｄｓをそのまま外部記録装置に出力することができる。つまり、信号処理部２２の配設を不要とすることができる。また、チューナ２１および信号処理部２２がアナログ信号を処理する場合には、信号処理部２２によって出力されるアナログ信号をそのまま外部記録装置に出力することができ、この際にも信号処理部２２の配設を不要とすることができる。さらに、本発明の実施の形態では、制御信号Ｓｃ３を出力することによって主制御部３１（テレビジョン装置１）がＶＴＲ７による録画を制御する例について説明したが、必ずしもテレビジョン装置１側でＶＴＲ７を制御する必要はなく、例えば予約内容に応じてＶＴＲ７のタイマをセットすることによってテレビジョン装置１から出力される映像信号Ｓｅおよび音声信号Ｓｓを記録させることもできる。
【図面の簡単な説明】
【図１】テレビジョン装置１の構成を示すブロック図である。
【図２】テレビジョン装置１の正面図である。
【図３】スクリーンパネル５２にＥＰＧ画面Ｐｅが表示されている状態の表示画面図である。
【図４】スクリーンパネル５２に選択画面Ｐｃが表示されている状態の表示画面図である。
【符号の説明】
１  テレビジョン装置、５  電源部、６  リモコン、２１  チューナ、２２  信号処理部、３１  主制御部、４２  表示部、６１  電源回路、６２  第１スイッチ、６３  第２スイッチ、８１ｄ  映像表示ボタン、８１ｅ  表示停止ボタン、Ｄｐ  ディジタル映像信号、Ｓｂ  放送信号、Ｓｃ３  制御信号、Ｓｅ  映像信号
【図１】
2005033422.tif 000003
【図２】
2005033422.tif 000004
【図３】
2005033422.tif 000005
【図４】
2005033422.tif 000006